(57)【要約】【課題】本発明は、ユーザーによる実際運動量と算出された目標運動量を一目瞭然な形で表示し、ユーザーの代りにユーザーの身体能力に適する運動モードをも自動的に選択する。【解決手段】本発明は、運動器具に取付けられるものであって、その制御手段が自動的にユーザーの身体能力に適する運動モードを選択してから随時に機能し、ユーザーの身体能力に適する目標運動量とユーザーのいままで実際に運動した実際運動量を算出し、更に前記実際運動量の前記目標運動量に占めた比率を算出することを特徴とする運動データ表示システムを提供し、特に、該運動データ表示システムのユーザーインターフェース手段において、ユーザーのいままで実際に運動した前記実際運動量の前記目標運動量に占めた比率をブロック的に累加して表わすことができるように構成されていることを特徴とする運動データ表示システムを提供する。【選択図】図１
2007301151.tif 000002
【特許請求の範囲】
【請求項１】
運動器具に取付けられるものであって、
その制御手段が自動的にユーザーの身体能力に適する運動モードを選択してから随時に機能し、ユーザーの身体能力に適する目標運動量とユーザーのいままで実際に運動した実際運動量を算出し、更に前記実際運動量の前記目標運動量に占めた比率を算出することを特徴とする運動データ表示システム。
【請求項２】
運動器具に取付けられるものであって、
ユーザーの心拍数を検知する心拍数検知手段と、
ユーザーによる個人情報の入力ができるように構成されているユーザーインターフェース手段と、
前記心拍数検知手段の検知結果に基づいて運動モードを自動的に選択し、予め入力されたユーザーの個人情報と前記自動的に選択された運動モードとに基づき、ユーザーの身体能力に適する目標運動量を算出してから、前記心拍数検知手段によって検知された心拍数に基づき、ユーザーのいままでの実際運動量を算出し、更に前記実際運動量の前記目標運動量に占めた比率を算出する、前記心拍数検知手段及び前記ユーザーインターフェース手段と電気的に接続している制御手段とを備えていることを特徴とする運動データ表示システム。
【請求項３】
ユーザーのいままで実際に運動した前記実際運動量の前記目標運動量に占めた比率をブロック的に累加して表わすことができるように構成されているユーザーインターフェース手段を更に有していることを特徴とする請求項１に記載の運動データ表示システム。
【請求項４】
運動器具に取付けられるものであって、
ユーザーの心拍数を検知する心拍数検知手段と、
ユーザーによる個人情報の入力及び運動モードの選択と、複数ブロックに分けて運動量を段階的に表わすことを始め、各種の運動データの表示とができるように構成されているユーザーインターフェース手段と、
前記ユーザーによる運動モードの選択がなされないと前記心拍数検知手段の検知結果に基づいて運動モードを自動的に選択し、予め入力されたユーザーの個人情報とユーザーにより選択された運動モードもしくは自動的に選択された運動モードとに基づいてユーザーの身体能力に適する目標運動量を算出してから、前記ユーザーインターフェース手段において複数ブロックに分けて表わさせ、且つ、前記心拍数検知手段によって検知された心拍数に基づき、ユーザーの瞬間運動強度、各瞬間運動強度を累加してなるいままでの実際運動量及びその前記目標運動量に占めた比率を算出してから、前記ユーザーインターフェース手段において、該比率を前記目標運動量を表わす複数ブロック内に占める数量で表わさせる、前記心拍数検知手段及び前記ユーザーインターフェース手段と電気的に接続している制御手段とを備えていることを特徴とする運動データ表示システム。
【請求項５】
運動器具に取付けられるものであって、
ユーザーの心拍数を検知する心拍数検知手段と、
ユーザーによる個人情報の入力及び運動モードの選択と、複数ブロックに分けて運動量を段階的に表わすことを始め、各種の運動データの表示とができるように構成されているユーザーインターフェース手段と、
前記ユーザーによる運動モードの選択がなされないと前記心拍数検知手段の検知結果に基づいて運動モードを自動的に選択し、所定時間の使用後、予め入力されたユーザーの個人情報と前記心拍数検知手段により検知された心拍数とに基づいてユーザーの身体能力に適する目標運動量を算出してから、前記ユーザーインターフェース手段において複数ブロックに分けて表わさせ、且つ、それに引き続いて、前記心拍数検知手段によって検知された心拍数に基づき、ユーザーの瞬間運動強度、各瞬間運動強度を累加してなるいままでの実際運動量及びその前記目標運動量に占めた比率を算出してから、前記ユーザーインターフェース手段において、該比率を前記目標運動量を表わす複数ブロック内に占める数量で表わさせる、前記心拍数検知手段及び前記ユーザーインターフェース手段と電気的に接続している制御手段とを備えていることを特徴とする運動データ表示システム。
【請求項６】
室内運動用自転車に取付けられるものであって、
ユーザーの心拍数を検知する心拍数検知手段と、
ユーザーが踏む時のトルクを検知するトルク検知手段と、
ユーザーによる個人情報の入力及び運動モードの選択と、複数ブロックに分けて運動量を段階的に表わすことを始め、各種の運動データの表示とができるように構成されているユーザーインターフェース手段と、
前記ユーザーによる運動モードの選択がなされないと前記心拍数検知手段の検知結果に基づいて運動モードを自動的に選択し、所定時間の使用後、予め入力されたユーザーの個人情報と前記心拍数検知手段により検知された心拍数と前記トルク検知手段により検知されたトルクとに基づいてユーザーの身体能力に適する目標運動量を算出してから、前記ユーザーインターフェース手段において複数ブロックに分けて表わさせ、且つ、それに引き続いて、前記トルク検知手段によって検知されたトルクに基づき、ユーザーの瞬間運動強度、各瞬間運動強度を累加してなるいままでの実際運動量及びその前記目標運動量に占めた比率を算出してから、前記ユーザーインターフェース手段において、該比率を前記目標運動量を表わす複数ブロック内に占める数量で表わさせる、前記心拍数検知手段、前記及び前記ユーザーインターフェース手段と電気的に接続している制御手段とを備えていることを特徴とする運動データ表示システム。
【請求項７】
前記ユーザーのいままで実際に運動した実際運動量の目標運動量に占めた比率をブロック的に累加して表わすのは、複数の空白のブロックを次から次へと満たす方式で行われるように構成されていることを特徴とする請求項２〜６のいずれかに記載の運動データ表示システム。
【請求項８】
前記ユーザーのいままで実際に運動した実際運動量の目標運動量に占めた比率をブロック的に累加して表わすのは、複数の充満ブロックを次から次へとクリアする方式で行われるように構成されていることを特徴とする請求項２〜６のいずれかに記載の運動データ表示システム。
【請求項９】
前記目標運動量として消費カロリーで表示することを特徴とする前記請求項２〜６のいずれかに記載の運動データ表示システム。
【発明の詳細な説明】
【技術分野】
【０００１】
本発明は、運動データの表示に関し、特に、スポーツフィットネス器具に取付けられる運動データ表示システムに関する。
【背景技術】
【０００２】
従来のウォーキングマシン、フィットネスバイク又はクライミングステッパーなどのフィットネス器具は、運動に関するデータの入力及び表示ができるパネル付きのものが殆どであり、ユーザーがそのパネルに介して、行う運動に関する各種のデータを知ることや、自分に適する運動モードを選択することができる。更に、もっと先進的なスポーツフィットネス器具は心拍数や体内脂肪率を測定する機能が付いていて、更にユーザーにより予め入力された身長、体重、性別などの個人情報と併せて、最適な目標運動時間を算出できるようになっている。そして、検出もしくは算出された実際運動時間など各種の運動データは、パネルでの表示でユーザーに知らせるのである。
【０００３】
更に、各ユーザーの身体能力によって高低の差が激しいので、このような従来のフィットネス器具は運動時間を数字でしか表示しないものもあるし、目標運動時間に達するまでユーザーに知らせない場合もある。
【発明の開示】
【発明が解決しようとする課題】
【０００４】
しかし、上述のような最適な目標運動時間や実際運動時間を算出できるフィットネス器具において、運動時間と運動量との差別を考慮に入れておらず、正確な運動データをユーザーに提供することができない。その上、数字による表示も不便もある。なぜならば、フィットネス器具を使用して運動中のユーザーにとって関心のある情報は、目標運動量を表わす数字でなく、自分はもうどれぐらい運動したのか、目標運動量である。その中においても、達成まであとどれぐらいの運動量が必要なのかこそが重要なのである。数字だけによる情報の表示は、それらの情報を正確的に提供するものであっても、効率よくその意味を伝達できるものではない。ユーザーは直感でそれらの情報を知るのではなく、見た数字を自分で計算し消化しなければ解ることはできないのである。
【０００５】
また、フィットネス器具の初心者ユーザーは使用に慣れていないゆえに運動モードの選択に途方に暮れることもあり、従来のフィットネス器具のこの面においてのサポートも欠いている。
【０００６】
従って、本発明は、上記の問題点を解消するために、ユーザーの身体能力に適する目標運動量及びユーザーによる実際運動量を正確的に算出して、それらを一目瞭然な形で表示できる上、ユーザーの代りにユーザーの身体能力に適する運動モードをも自動的に選択できる便利な運動データ表示システムを提供することを目的とする。
【課題を解決するための手段】
【０００７】
上記目的を達成するために、本発明は、運動器具に取付けられるものであって、その制御手段が自動的にユーザーの身体能力に適する運動モードを選択してから随時に機能し、ユーザーの身体能力に適する目標運動量とユーザーのいままで実際に運動した実際運動量を算出し、更に前記実際運動量の前記目標運動量に占めた比率を算出することを特徴とする運動データ表示システムを提供し、特に、該運動データ表示システムのユーザーインターフェース手段において、ユーザーのいままで実際に運動した前記実際運動量の前記目標運動量に占めた比率をブロック的に累加して表わすことができるように構成されていることを特徴とする運動データ表示システムを提供する。
【発明の効果】
【０００８】
上記構成によれば、本発明はユーザーの身体能力に適する目標運動量及びユーザーによる実際運動量を正確的に算出して、その実際に運動した実際運動量の目標運動量に占めた比率をブロック的に累加して表わすこと、すなわち、視覚的に表示することによって、一目瞭然の効果を図るものである。ユーザーは実際運動量と目標運動量との実際の数字を知らなくても、図形で表示される比率によって、実際に運動した実際運動量と目標運動量を一目で感じ取ることができるのである。また、使用に慣れていないユーザーも運動モードの選択を本発明に任せることができる。つまり、本発明はユーザーにとって本当に重要な情報をより効率よく正確的に伝えることができる上、初心者への対応もより充実しているのは明らかである。
【発明を実施するための最良の形態】
【０００９】
図１は室内運動用自転車に取付けられたものを例として挙げられた本発明における第１の実施形態の運動データ表示システムである。
【００１０】
この運動データ表示システムは、心拍数検知手段としての心拍数検知ユニット１と、トルク検知手段としてのトルク検知ユニット２と、スピード検知手段としてのスピード検知ユニット３と、体内脂肪率検知手段としての体内脂肪率検知ユニット４と、制御手段としての中央制御ユニット５と、ユーザーインターフェース手段としてのパネル６とを備えているものである。
【００１１】
心拍数検知ユニット１、トルク検知ユニット２、スピード検知ユニット３、及び体内脂肪率検知ユニット４は、名称どおりにユーザーが室内運動用自転車を使用して運動している時、ユーザーの心拍数、ペダルを踏む時のトルク、車輪の回転スピード、体内脂肪率を検知するものであって、従来から室内運動用具によく採用されているので、その詳細説明を省く。以下ではそれらを併せて「各検知ユニット」と称することもある。
【００１２】
パネル６は、ユーザーによる個人情報の入力と運動モードの選択ができる入力部と、行う運動に関する各種の情報の表示ができる表示部を有するように構成されている。
【００１３】
中央制御ユニット５は、各検知ユニット及びパネル１６とを制御できるように電気的且つ論理的に接続しており、前記ユーザーによる運動モードの選択が入力されなかった場合、心拍数検知ユニット１の検知結果に基づいて自動的にユーザーの身体能力に適する運動モードを選択し、さらに各検知ユニットにより検知された各種の情報とユーザーにより予め入力した個人情報とユーザーにより選択された運動モードもしくは自動的に選択された運動モードとに基づく、ユーザーの身体能力に適する目標運動量の算出、検知された心拍数あるいは検知されたトルクに基づく瞬間運動強度の算出、算出された瞬間運動強度の累加によるいままでの実際運動量の算出、前記実際運動量の前記目標運動量に占めた比率（あるいは比例）の算出などの計算ができ、またそれらの計算結果や各検知ユニットにより検知された各種の情報をパネル６で表示させるように構成されている。
【００１４】
ここで、目標運動量は各検知ユニットにより検知された各種の情報と、ユーザーにより予め入力された個人情報と、ユーザーもしくは本発明により選択された運動モードとを併せて算出するが、場合によっては、心拍数検知手段１の検知結果だけに基づいて算出することや、選択された運動モード及び入力された個人情報に基づいて算出することも可能である。無論、その算出に用いられるデータの種類が多ければ多いほど、よりユーザーの身体能力に適する目標運動量を算出することができる。
【００１５】
続いて、図２を用いてパネル６上における実際運動量と目標運動量の表示方法について、詳しく説明する。
【００１６】
図２に示すのはパネル６上における目標／実際運動量表示部６１で実際運動量と目標運動量の表示方式を示す図である。
【００１７】
目標／実際運動量表示部６１は、ヒートアップエリア６１１と、熱量消費エリア６１２と、目標達成エリア６１３と、挑戦エリア６１４というブロックに分けられている。ヒートアップエリア６１１と熱量消費エリア６１２と目標達成エリア６１３とを併せて目標運動量を表わし、実際使用の直前は空白の枠だけを表示する状態であり、ユーザーが室内運動用自転車を使用する時検知した実際運動量の目標運動量に占めた比率（あるいは比例）に従い、ヒートアップエリア６１１と、熱量消費エリア６１２と、目標達成エリア６１３と、挑戦エリア６１４とを順番に段々満たしていくように構成されている。
【００１８】
ヒートアップエリア６１１は、ユーザーの運動における最初の段階で、ユーザーの身体が運動に適する状態になるまで必要な運動量を意味する。熱量消費エリア６１２は、身体が運動によって効率よく熱量を消費する段階での運動量を意味する。目標達成エリア６１３が満たされ始めることは、実際運動量の目標運動量に占めた比率（あるいは比例）が１００％に近い範囲に入り、運動量がユーザーの身体能力に適する目標運動量に達成したことを意味する。また、挑戦エリア６１４は、ユーザーが目標運動量に達成しても、更に運動し続けて挑戦したい場合のために用意されたものであり、ユーザーの更なる運動に従って、挑戦エリア６１４の表示を満たしていく。挑戦エリア６１４が全部満たされたことは、ユーザーに適する運動量の限界に到達することを意味し、つまり、更なる運動は危険であってやめろという警告である。
【００１９】
このように、目標／実際運動量表示部６１での表示は、ヒートアップエリア６１１と、熱量消費エリア６１２と、目標達成エリア６１３と、挑戦エリア６１４というブロックに分けられ、それらを使用者の運動量の増加と共に一つずつ順番に満たしていくという充満式で行う。使用者もそれらのブロックの表示から、自分が運動した運動量の目標運動量に占める割合を一目で解ることができる。
【００２０】
この実施形態例では、目標／実際運動量表示部６１は実体的なものでなく、スクリーンに表示される映像であるので、各エリアのブロック数ないしブロック面積は一定ではなく、中央制御ユニット５の計算により決定される。それがために、上記の充満式はもちろん、クリア式を使用しても良い。
【００２１】
クリア式というのは、目標／実際運動量表示部６１での表示を、分けられた各空白のブロックを次から次へと満たす上記のような充満式と反対に、充満ブロックを次から次へとクリアする方式で行うものである。この方式は、上記のような映像でのものはもちろん、総数が限定される実体的なランプでの実施方式に特に適用できる。その場合、中央制御ユニット５をして目標運動量と共に各エリアにおけるランプの点灯数を決定し、点灯させ、そして、実際の運動に従い、点灯したランプを逐一に消すようにさせれば良い。
【００２２】
また、ユーザーによる所定の使用時間が経過したあとの各検知ユニットにより検知された各種の情報及びユーザーが予め入力した個人情報に基づいて、目標運動量を算出することができる。この場合、目標運動量の算出に用いられているデータにユーザーが実際に運動した後に検出されたデータが含まれているので、よりユーザーの身体能力に適する目標運動量の算出が期待できる。
【００２３】
また、コストを考慮して検知された心拍数だけに基づいて実際運動量の算出を行うこともできる。
【００２４】
また、目標運動量として消費カロリーによる数字の表示も、目標／実際運動量表示部６１でのブロック方式の表示と共に表示することもできる。
【産業上の利用可能性】
【００２５】
従って、本発明はユーザーの身体能力に適する目標運動量及びユーザーによる実際運動量を正確的に算出して、且つその実際に運動した実際運動量の目標運動量に占めた比率（あるいは比例）を図形で表示することによって、実際に運動した実際運動量と目標運動量をユーザーに一目で感じ取ることができる上、初心者への対応もより充実しているため、非常に便利である。
【図面の簡単な説明】
【００２６】
【図１】第１の実施形態の運動データ表示システムの構成を示すブロック図
【図２】目標／実際運動量表示部６１での表示を示す説明図
【符号の説明】
【００２７】
１   心拍数検知ユニット（心拍数検知手段）
２   トルク検知ユニット（トルク検知手段）
３   スピード検知ユニット（スピード検知手段）
４   体内脂肪率検知ユニット（体内脂肪率検知手段）
５   中央制御ユニット（制御手段）
６   パネル
６１   目標／実際運動量表示部
６１１   ヒートアップエリア
６１２   熱量消費エリア
６１３   目標達成エリア
６１４   挑戦エリア
【図１】
2007301151.tif 000003
【図２】
2007301151.tif 000004